(57)【要約】【課題】  予め作製しておいても複数種類のキュービクルを容易に載置固定でき、また基台設置作業の簡易化が可能なキュービクル基台を提供する。【解決手段】  基台本体１をコンクリートで立方体形状に形成し、その上面周囲に雌ねじ部材２を取り付ける収容溝４を各辺に２本ずつ設け、高圧ケーブルを下入線するためのケーブル挿通孔３を中央に形成し、更に４隅に吊りボルト装着孔５を設けた。雌ねじ部材２は、キュービクルを固定するアンカーボルト取付用のネジ孔７を複数有するコンクリート製棒体として形成し、収容溝４に収容して基台本体１に取り付けた後、基台上面が平坦になるようにした。【選択図】  図１
2005151775.tif 000002
【特許請求の範囲】
【請求項１】
キュービクルを載置固定するための基台であって、略立方体形状のコンクリート製基台本体と、キュービクルを固定するアンカーボルト取付用の雌ねじを複数有する棒状の雌ねじ部材とから成り、
前記基台本体の上面周囲の少なくとも対向する２辺に沿って、前記雌ねじ部材を固定手段により取り付ける雌ねじ部材取付部を設ける一方、前記基台本体に高圧ケーブルを下入線するためのケーブル挿通孔を備えてなることを特徴とするキュービクル基台。
【請求項２】
雌ねじ部材が、ネジ孔を複数穿設されたコンクリート製棒体であり、基台本体の雌ねじ部材取付部は、前記棒体を収容する収容溝である請求項１記載のキュービクル基台。
【請求項３】
固定手段がボルトであり、対応する基台本体の雌ねじ部材取付部にネジ孔が穿設されて成る請求項１又は２記載のキュービクル基台。
【請求項４】
基台本体の上面４隅に、吊りボルトを取り付けるための吊りボルト装着孔が穿設されて成る請求項１乃至３の何れかに記載のキュービクル基台。
【請求項５】
ケーブル挿通孔は、下方が拡開されて成る請求項１乃至４の何れかに記載のキュービクル基台。
【発明の詳細な説明】
【技術分野】
【０００１】
本発明は、受電設備を収容するキュービクルを設置する際に、地面に配置してキュービクルを載置固定するためのキュービクル基台に関する。
【背景技術】
【０００２】
受電設備を収容する箱、所謂キュービクルを設置する場合、設置する地面にキュービクルを載置し固定するための基台が配置される。従来、この基台はキュービクル設置場所にキュービクルの底面形状に合わせた型枠を作製し、そこにコンクリートを流し込んで作製し、その基台上にボルト止め等してキュービクルを設置固定していた。
一方、受電設備は、工場や工事現場等において、全ての電気設備に電力を供給するための基幹を成す設備であるため、スピーディーな設置が要求されている。ところが、上述するようにキュービクルを設置するための基台はキュービクル設置現場で作製されるし、コンクリートを流し込むため、工期に時間が掛かりキュービクル設置の工期短縮の障害となっていた。そのため基台作製の工期短縮が望まれていた。
そのようなことから、例えば特許文献１に開示されているように、キュービクル基台として既製のコンクリート製基礎主体を使用し、予め工場等で基台を作製しておき、キュービクルを設置する際にクレーン等を用いて運搬し設置することで、キュービクル施工期間を短縮する工法が提案された。
【０００３】
【特許文献１】特開平８−１３５１３号公報
【発明の開示】
【発明が解決しようとする課題】
【０００４】
上記特許文献１に示す工法の場合、基台を予め作製しておくことで、大幅な工期の短縮が可能となる。しかし、ここで使用される基台は基本的に枠体であり、大きな開口部を有しているため、強度を維持するためには高さを大きくする必要があった。そのために、設置面を深く根切り作業をしなければならないし、基台設置後、内部に土砂を入れて突き固めたり、モルタル層を形成する作業等が必要であった。但し、キュービクル内への高圧ケーブルの引き込みは下入線が一般的であるため、基台には大なり小なり開口部は必要である。
そのため、開口部をケーブルを挿通するのに必要且つ十分な大きさとして小さく形成し、全体をブロック形状に形成することで厚みを抑えることができ、上述するような面倒な設置工事を無くすことが可能となり、工期を更に短縮できる。
【０００５】
更に、上記基礎主体は、載置したキュービクルを固定するためのアンカーボルトを取り付けるアンカー挿入孔が設けられているが、位置が固定されているため特定のキュービクルしか固定できず、載置するキュービクルに合わせて基台を選択することになり、基台をキュービクルに種類に合わせて複数種類用意しておく必要があったし、使用を終了したキュービクルの処分を考えた場合、可能な限りリサイクルできるのが望ましいが、上記形状の基台は再利用が難しかった。
そのため、アンカーボルトの取付位置を選択可能とすれば載置するキュービクルを限定することがないため、予め基台を作製しておいても基台の種類を削減できるし、工期も更に短くできる。
【０００６】
そこで、本発明はこのような問題点に鑑み、予め作製しておいても複数種類のキュービクルを容易に載置固定でき、また基台設置作業の簡易化が可能なキュービクル基台を提供することを目的とする。
【課題を解決するための手段】
【０００７】
上記課題を解決するために、請求項１の発明は、キュービクルを載置固定するための基台であって、略立方体形状のコンクリート製基台本体と、キュービクルを固定するアンカーボルト取付用の雌ねじを複数有する棒状の雌ねじ部材とから成り、前記基台本体の上面周囲の少なくとも対向する２辺に沿って、前記雌ねじ部材を固定手段により取り付ける雌ねじ部材取付部を設ける一方、前記基台本体に高圧ケーブルを下入線するためのケーブル挿通孔を備えてなることを特徴とする。
この構成により、基台上面にはアンカーボルト取付部が複数設けられるので、載置するキュービクルによって選択して使用することができ、複数種類のキュービクルを載置固定できる。また、雌ねじ部材を複数種類用意し、設置するキュービクルに合わせて選択して基台本体に取り付けるようにすれば、基台本体の種類を増やすことなく更に設置可能なキュービクルの種類を増やすことができ、僅かな種類の基台本体で、多くのキュービクルに対応させることができ、在庫も多種類用意しておく必要がない。
また、ケーブル挿通孔を必要且つ十分に小さく形成すれば、強度を得やすく基台本体を薄く作製でき、設置作業を簡易化できるし、再使用も可能となる。
【０００８】
請求項２の発明は、請求項１記載の発明において、雌ねじ部材が、ネジ孔を複数穿設されたコンクリート製棒体であり、基台本体の雌ねじ部材取付部は、前記棒体を収容する収容溝である。
この構成により、複数の雌ねじを容易に基台本体に取り付けることができるし、雌ねじ部材を取り付けても基台上面を平坦にできる。従って、キュービクルの載置固定もし易いし、キュービクル下部に隙間が発生するようなこともない。
【０００９】
請求項３の発明は、請求項１又は２記載の発明において、固定手段がボルトであり、対応する基台本体の雌ねじ部材取付部にネジ孔が穿設されて成ることを特徴とする。
この構成により、キュービクル設置現場で短時間に且つ容易に雌ねじ部材を組み付けできるので、載置するキュービクルの種類に応じて容易に変更できる。また、取り外しが可能であり、載置するキュービクルを変更する場合、雌ねじ部材をそれに合わせて容易に変更でき、基台の再利用に有効であるし、雌ねじ部材を確実に基台本体に固定でき、連結したアンカーボルトが浮き上がるようなことがない。
【００１０】
請求項４の発明は、請求項１乃至３の何れかに記載の発明において、基台本体の上面４隅に、吊りボルトを取り付けるための吊りボルト装着孔が穿設されて成ることを特徴とする。
この構成により、吊りボルトを取り付ければ、基台を容易にクレーン等で吊り上げて運搬できる。
【００１１】
請求項５の発明は、請求項１乃至４の何れかに記載の発明において、ケーブル挿通孔は、下方が拡開されて成ることを特徴とする。
この構成により、ケーブル挿通孔の上部が小さくても下部は大きく開口しているので、高圧ケーブルの挿通操作をし易いし、高圧ケーブルの地面からの立ち上げ位置が指定位置から多少ずれていても、立ち上げ位置を変更しなくても基台ケーブル挿通孔に挿通することができる。
【発明の効果】
【００１２】
このように、本発明によれば、基台上面にはアンカーボルト取付部が複数設けられるので、載置するキュービクルによって選択して使用することができ、予め基台を作製しておいても複数種類のキュービクルを載置固定できる。また、雌ねじ部材を複数種類用意し、設置するキュービクルに合わせて選択して基台本体に取り付けるようにすれば、基台本体の種類を増やすことなく更に設置可能なキュービクルの種類を増やすことができ、僅かな種類の基台本体で、多くの種類のキュービクルに使用でき、在庫を多種類用意しておく必要がない。
また、ケーブル挿通孔を必要且つ十分に小さく形成すれば、基台本体を薄く作製でき、設置作業を簡易化できるし、再使用も可能となる。
【発明を実施するための最良の形態】
【００１３】
以下、本発明を具体化した実施の形態を、図面に基づいて詳細に説明する。図１は本発明に係るキュービクル基台の実施形態の一例を示し、基台本体と雌ねじ部材を分離した状態を示している。
図１において、１は基台本体、２は雌ねじ部材である。基台本体１は、コンクリートから成り立方体形状に形成され、内部には鉄筋が配設されている。そして、中央に下入線する高圧ケーブルを挿通する為のケーブル挿通孔３が形成され、上面の周囲４辺に雌ねじ部材２を設置するための雌ねじ部材取付部として収容溝４が形成され、４隅には吊りボルトを取り付けるための吊りボルト装着孔５が設けられている。
【００１４】
ケーブル挿通孔３は、縦に貫設され、上部開口部３ａは長方形状に形成され、高圧ケーブルを挿通するのに必要且つ十分な大きさで小さく形成されている。そして、内部側面は傾斜形成されて下方に拡開され、下部開口部３ｂは略正方形に大きく形成されている。
このように、ケーブル挿通孔の上部が小さくても下部は大きく開口しているので、高圧ケーブルの挿通操作をし易いし、高圧ケーブルの地面からの立ち上げ位置が指定位置から多少ずれていても、立ち上げ位置を変更しなくてもケーブル挿通孔に挿通することができる。また、開口部の上部は小さいので、ケーブル挿通後の隙間をモルタル等で塞ぐ作業が必要ないし、基台本体をブロック状に堅牢に作製できるので、薄く作製でき、設置作業を簡易化できるし、再使用も可能となる。
【００１５】
また、収容溝４は、基台本体１上面の前後辺の近傍に２本ずつ２組形成された前後方向の収容溝４ａと、左右辺の近傍に２本ずつ２組形成された左右方向の収容溝４ｂの合計４組形成されている。夫々雌ねじ部材２の幅，高さ、そして長さに合わせて形成され、雌ねじ部材２を隙間無く収容するように形成されている。このように形成することで、雌ねじ部材設置後の基台上面に突起が生ずることがなく平坦にでき、キュービクルの設置作業がし易いし、キュービクルと基台の間に隙間が発生するようなことがない。また、作製した基台を重ねることが可能であり、保管や運搬がし易い。
【００１６】
雌ねじ部材２は、コンクリートから成り四角柱形状に形成された棒体であり、図２の一部拡大図に示すように、ネジ孔７及び貫通孔８が上下方向に形成されている。雌ねじ部材２のうち、基台左右に配置される雌ねじ部材２ａは、ネジ孔７が端部近傍に３個ずつ設けられ、何れも内部に金属製雌ねじ筒７ａが埋設されてアンカーボルト（図示せず）を容易に且つ確実に装着できるよう形成されている。また、貫通孔８は最端部に設けられている。この貫通孔８は、雌ねじ部材２を基台本体１にボルト９で固定するためのボルト挿通孔であり、上端部はボルト９頭部を没入させる凹部が形成されている。そして、雌ねじ部材２のうち、前後に配置される雌ねじ部材２ｂは、ネジ孔７が端部近傍に３個ずつ、更に中央に３個設けられ、貫通孔８が最端部に設けられている。
また、貫通孔８に対応する基台本体１の収容溝４底部には、ネジ孔（図示せず）が設けられ、ボルト９により雌ねじ部材２を容易に固定可能となっている。
【００１７】
雌ねじ部材をこのように形成することで、載置するキュービクルによってネジ孔を選択して使用することができ、複数種類のキュービクルを載置固定できる。また、雌ねじ部材を複数種類用意し、設置するキュービクルに合わせて選択して基台本体に取り付けるようにすれば、基台本体の種類を増やすことなく更に設置可能なキュービクルの種類を増やすことができ、僅かな種類の基台本体で、多くの種類のキュービクルに対応させることができ、在庫を多種類用意しておく必要がない。
また、雌ねじ部材はボルトによりネジ止めされるので、キュービクル設置現場で短時間に且つ容易に雌ねじ部材を組み付けでき、載置するキュービクルの種類に応じて容易に変更できる。また、取り外しが可能であり、載置するキュービクルを変更する場合、雌ねじ部材をそれに合わせて容易に変更でき、基台の再利用に有効である。また、雌ねじ部材を確実に基台本体に固定でき、連結したアンカーボルトが浮き上がるようなことがない。
【００１８】
図３は基台本体１の端部拡大図であり、吊りボルト装着孔５の構造を示している。図３に示すように、吊りボルト装着孔５はネジ孔であり、先端を切り開いた抜け止め構造を備えた金属製雌ねじ筒１０が埋設され、吊りボルト１１を装着してクレーンで吊り上げても、抜け落ちることがないように堅牢に形成されている。このように、基台は吊りボルトを取り付けでき、クレーン等で容易に運搬できる。
【００１９】
図４は、基台本体１に雌ねじ部材２を取り付けて、基台を完成させた状態を示している。雌ねじ部材２は各辺の最も外側の収容溝４に取り付けられて、各辺に１個ずつ設けられている。そして、雌ねじ部材２を設けない他の収容溝４は、雌ねじ部材２と同一断面形状でネジ孔の無いコンクリート製ブロック部材１３を別途作製し、それを収容して基台上面を平坦にしている。但し、雌ねじ部材２は各辺の内側の収容溝４に取り付けても良いし、全ての収容溝４に取り付けても良い。また、ブロック部材１３は、図４に示すように、複数種類の長さのものが用意されている。
このように、基台本体が１種類であっても、取付位置を変更すれば、更には雌ねじ部材をネジ孔の位置や数を変えて複数種類用意すれば、何種類もの基台を作製でき、１種類の基台本体で多数のキュービクルを載置固定することが可能となる。
【００２０】
そして、この基台は、次のように設置できる。まず、キュービクル設置場所を所定量（例えば１０ｃｍ）掘り下げて整地する。次に、基台を載置面に密着させるために、例えばインスタントセメントを一様に敷設する。その後、基台をクレーン等で吊り上げて、地面に設けられているケーブル立ち上げ部を確認しながら所定位置に下ろす。同時に立ち上げられている高圧ケーブルをケーブル挿通孔に挿通操作する。後は、掘り下げた周囲の土を戻すなりアスファルトで周囲を固める等すれば良く、インスタントセメントの作用により、基台は地面に密着して固定される。
このように、基台は、開口部（ケーブル挿通孔）が小さいので薄く作製しても基台強度も得やすく、地面を浅く掘り下げるだけで設置でき、スピーディに設置できる。その結果、設置コストも削減することが可能となるし、取り外しも容易に実施でき、無理なく再利用できる。
【００２１】
尚、上記実施の形態は、基台本体１の周囲の４辺に２本ずつ合計４組の雌ねじ部材装着部としての収容溝４を設けているが、少なくとも左右或いは前後の対向する辺に１本ずつ１組の収容溝４を設けてあれば、雌ねじ部材２を取り付けてキュービクルを固定するアンカーボルトの装着が可能である。また、更に多く例えば８組設ければ、載置固定可能なキュービクルの種類を更に増やすことができるし、他の電気設備の基台としても使用することも可能となる。また、雌ねじ部材２は収容溝４に対して短く形成しても良く、隙間はブロック部材で埋めればよい。
更に、雌ねじ部材２をボルト９で基台本体１に固定しているが、接着剤或いはモルタルで接着固定しても良い。特にモルタルで固定する場合は、使用しない収容溝４を同時にモルタルで塞いでも良く、ブロック部材１３が必要無くなる。また、雌ねじ部材２は金属板を折り曲げて形成しても良く、基台本体１にネジ止めすれば良好に固定できる。
また、開口部は高圧ケーブルを挿通するケーブル挿通孔３の１つだけ形成しているが、低圧ケーブルを挿通する開口部をケーブル挿通孔３に隣接して形成しても良いし、１つのケーブル挿通孔３を兼用させても良い。
【図面の簡単な説明】
【００２２】
【図１】本発明に係るキュービクル基台の実施形態の一例を示し、基台本体と雌ねじ部材を分離した斜視説明図である。
【図２】図１の雌ねじ部材の要部を拡大した斜視図である。
【図３】図１の基台本体の端部拡大図である。
【図４】図１のキュービクル基台の完成した状態を示す斜視図である。
【符号の説明】
【００２３】
１・・基台本体、２・・雌ねじ部材、３・・ケーブル挿通孔、４・・収容溝、５・・吊りボルト装着孔、７・・ネジ孔（雌ねじ）、９・・ボルト（固定手段）、１１・・吊りボルト。
【図１】
2005151775.tif 000003
【図２】
2005151775.tif 000004
【図３】
2005151775.tif 000005
【図４】
2005151775.tif 000006